(57)【要約】【課題】電線が煽（あお）られたときでも、第１コネクタが先端部を支点として回転することを防止し、第１コネクタが第２コネクタから外れてしまうことがなく、かつ、第１コネクタと第２コネクタとの嵌合操作を容易に行うことができ、専有スペースを小さくすることができ、信頼性を向上させることができるようにする。【解決手段】第１ハウジングは、先端部に形成されたロック部材及び側部に形成された嵌合キーを備え、第２ハウジングは、先端部に形成され、ロック部材と係合する被ロック部材、及び、側部に形成され、嵌合キーと嵌合するキー溝を備え、嵌合キーの少なくとも一部は第１ハウジングの基端部寄りの位置に配設され、キー溝の少なくとも一部は第２ハウジングの基端部寄りの位置に配設される。【選択図】図１
2010129404.tif 000002
【特許請求の範囲】
【請求項１】
（ａ）基端部に電線（９１）が挿入された第１ハウジング（１１）、及び、前記電線（９１）に接続された第１端子を有する第１コネクタ（１）と、
（ｂ）前記第１ハウジング（１１）と嵌合する第２ハウジング（１１１）、及び、前記第１端子と接続される第２端子（１６１）を有する第２コネクタ（１０１）とから成る電線対基板コネクタであって、
（ｃ）前記第１ハウジング（１１）は、先端部に形成されたロック部材（１６）及び側部に形成された嵌合キー（１８）を備え、
（ｄ）前記第２ハウジング（１１１）は、先端部に形成され、前記ロック部材（１６）と係合する被ロック部材（１１６）、及び、側部に形成され、前記嵌合キー（１８）と嵌合するキー溝（１１８）を備え、
（ｅ）前記嵌合キー（１８）の少なくとも一部は前記第１ハウジング（１１）の基端部寄りの位置に配設され、
（ｆ）前記キー溝（１１８）の少なくとも一部は前記第２ハウジング（１１１）の基端部寄りの位置に配設されることを特徴とする電線対基板コネクタ。
【請求項２】
前記嵌合キー（１８）及びキー溝（１１８）は、第１ハウジング（１１）と第２ハウジング（１１１）との嵌合方向に延在する請求項１に記載の電線対基板コネクタ。
【請求項３】
前記嵌合キー（１８）は、前記第１ハウジング（１１）の基端部寄りの位置に配設された第１嵌合キー（１８ａ）、及び、該第１嵌合キー（１８ａ）より幅の広い第２嵌合キー（１８ｂ）を含み、
前記キー溝（１１８）は、前記第２ハウジング（１１１）の基端部寄りの位置に配設され、前記第１嵌合キー（１８ａ）と嵌合する第１キー溝（１１８ａ）、及び、該第１キー溝（１１８ａ）より幅が広く、前記第２嵌合キー（１８ｂ）と嵌合する第２キー溝（１１８ｂ）を含む請求項１又は２に記載の電線対基板コネクタ。
【請求項４】
前記第１嵌合キー（１８ａ）は、基端部寄りの側壁（１８ａ−２）の頂壁（１８ａ−３）に対する角度が鋭角であり、
前記第１キー溝（１１８ａ）は、基端部寄りの側壁（１１８ａ−２）の底壁（１１８ａ−３）に対する角度が鋭角である請求項３に記載の電線対基板コネクタ。
【発明の詳細な説明】
【技術分野】
【０００１】
本発明は、電線対基板コネクタに関するものである。
【背景技術】
【０００２】
従来、ケーブル等の電線をプリント回路基板等の回路基板に接続するために電線対基板コネクタが使用されている（例えば、特許文献１参照。）。このような電線対基板コネクタは、一方のコネクタが回路基板に実装され、ケーブルの端部に接続された他方のコネクタと嵌（かん）合する。
【０００３】
図８は従来の電線対基板コネクタの嵌合前の状態を示す斜視図である。
【０００４】
図において、９０１は基板コネクタであり、図示されない回路基板に実装されている。また、８０１は電線コネクタであり、同軸ケーブル８９１の終端に接続され、前記基板コネクタ９０１に嵌合される。該基板コネクタ９０１は、絶縁体９１１と、該絶縁体９１１に取付けられた端子９６１及び外部導体９７１とを有する。該外部導体９７１は、金属板を略コ字状に屈曲することによって形成され、平板状の左右の側壁の内面における先端側及び基端側に、それぞれ、案内溝を備える係止用凹部９７４が形成されている。また、前記端子９６１は、その先端側に形成された棒状の基部９６２、及び、その基端側に形成された平板状の接続部９６４を備える。
【０００５】
一方、前記電線コネクタ８０１は、同軸ケーブル８９１の先端に接続された図示されない端子と、該端子の外側に形成された絶縁体８１１と、該絶縁体８１１の外側に取付けられた外部導体８７１とを有する。該外部導体８７１は、絶縁体８１１の上面及び両側壁を覆うように金属板を略コ字状に屈曲することによって形成され、平板状の左右の側壁の内面における先端側及び基端側に、それぞれ、係止用突起８７４が形成されている。また、前記絶縁体８１１の下面には溝状の空隙（げき）部８１３が形成され、該空隙部８１３内に端子が収容されている。
【０００６】
そして、電線コネクタ８０１を基板コネクタ９０１に対して相対的に下降させ、外部導体９７１に囲まれた空間内に挿入して嵌合させる。これにより、電線コネクタ８０１の端子が基板コネクタ９０１の端子９６１の接続部９６４と接触して、電気的に接続される。また、電線コネクタ８０１の係止用突起８７４が基板コネクタ９０１の係止用凹部９７４と係合することによって、電線コネクタ８０１が基板コネクタ９０１から外れることが防止される。
【特許文献１】特開２００４−３０３５５４号公報
【発明の開示】
【発明が解決しようとする課題】
【０００７】
しかしながら、前記従来の電線対基板コネクタにおいては、電線コネクタ８０１に接続されている同軸ケーブル８９１が煽（あお）られた場合に、係止用突起８７４と係止用凹部９７４との係合が解除され、電線コネクタ８０１と基板コネクタ９０１との嵌合が外れてしまうことがある。
【０００８】
もっとも、電線コネクタ８０１は、基板コネクタ９０１の外部導体９７１によって左右から挟持され、かつ、絶縁体９１１によって下から支持されているので、同軸ケーブル８９１が左右及び下方へ煽（あお）られた場合には、電線コネクタ８０１と基板コネクタ９０１との嵌合は外れにくい。しかし、電線コネクタ８０１の上方には基板コネクタ９０１の部材が何ら存在していない。しかも、電線コネクタ８０１の先端側は、係止用突起８７４が基板コネクタ９０１の係止用凹部９７４と係合していることに加え、電線コネクタ８０１の端子が基板コネクタ９０１の端子９６１の接続部９６４を挟持しているので、比較的強い力で保持されているのに対し、電線コネクタ８０１の基端側は、係止用突起８７４が基板コネクタ９０１の係止用凹部９７４と係合しているのみである。そのため、同軸ケーブル８９１が上方に煽（あお）られると、電線コネクタ８０１は、まず、その先端側を支点として回転し、基端側の係止用突起８７４が基板コネクタ９０１の係止用凹部９７４から外れ、続いて、全体が基板コネクタ９０１から外れてしまう。
【０００９】
本発明は、前記従来の問題点を解決して、第１コネクタの先端部を第２コネクタにロックするとともに、第１コネクタの側部の基端部寄りの位置に形成された嵌合キーを第２コネクタのキー溝に嵌合させることによって、電線が煽（あお）られたときでも、第１コネクタが先端部を支点として回転することを防止し、第１コネクタが第２コネクタから外れてしまうことがなく、かつ、第１コネクタと第２コネクタとの嵌合操作を容易に行うことができ、専有スペースを小さくすることができる信頼性の高い電線対基板コネクタを提供することを目的とする。
【課題を解決するための手段】
【００１０】
そのために、本発明の電線対基板コネクタにおいては、基端部に電線が挿入された第１ハウジング、及び、前記電線に接続された第１端子を有する第１コネクタと、前記第１ハウジングと嵌合する第２ハウジング、及び、前記第１端子と接続される第２端子を有する第２コネクタとから成る電線対基板コネクタであって、前記第１ハウジングは、先端部に形成されたロック部材及び側部に形成された嵌合キーを備え、前記第２ハウジングは、先端部に形成され、前記ロック部材と係合する被ロック部材、及び、側部に形成され、前記嵌合キーと嵌合するキー溝を備え、前記嵌合キーの少なくとも一部は前記第１ハウジングの基端部寄りの位置に配設され、前記キー溝の少なくとも一部は前記第２ハウジングの基端部寄りの位置に配設される。
【００１１】
本発明の他の電線対基板コネクタにおいては、さらに、前記嵌合キー及びキー溝は、第１ハウジングと第２ハウジングとの嵌合方向に延在する。
【００１２】
本発明の更に他の電線対基板コネクタにおいては、さらに、前記嵌合キーは、前記第１ハウジングの基端部寄りの位置に配設された第１嵌合キー、及び、該第１嵌合キーより幅の広い第２嵌合キーを含み、前記キー溝は、前記第２ハウジングの基端部寄りの位置に配設され、前記第１嵌合キーと嵌合する第１キー溝、及び、該第１キー溝より幅が広く、前記第２嵌合キーと嵌合する第２キー溝を含む。
【００１３】
本発明の更に他の電線対基板コネクタにおいては、さらに、前記第１嵌合キーは、基端部寄りの側壁の頂壁に対する角度が鋭角であり、前記第１キー溝は、基端部寄りの側壁の底壁に対する角度が鋭角である。
【発明の効果】
【００１４】
本発明によれば、電線対基板コネクタは、第１コネクタの先端部を第２コネクタにロックするとともに、第１コネクタの側部の基端部寄りの位置に形成された嵌合キーを第２コネクタのキー溝に嵌合させるようになっている。これにより、電線が煽（あお）られたときでも、第１コネクタが先端部を支点として回転することを防止し、第１コネクタが第２コネクタから外れてしまうことがなく、かつ、第１コネクタと第２コネクタとの嵌合操作を容易に行うことができ、専有スペースを小さくすることができ、信頼性を向上させることができる。
【発明を実施するための最良の形態】
【００１５】
以下、本発明の実施の形態について図面を参照しながら詳細に説明する。
【００１６】
図１は本発明の実施の形態における電線対基板コネクタの電線コネクタを示す斜視図であり斜め下から観た図、図２は本発明の実施の形態における電線対基板コネクタの基板コネクタを示す斜視図であり斜め上から観た図、図３は本発明の実施の形態における電線対基板コネクタの嵌合した状態を示す斜視図、図４は本発明の実施の形態における電線対基板コネクタの基板コネクタを示す上面図である。なお、図４において、（ｂ）は（ａ）の要部拡大図でありＡ部拡大図である。
【００１７】
図において、１０１は、本実施の形態の電線対基板コネクタにおける第２コネクタとしての基板コネクタであり、図示されない回路基板に実装される。また、１は、本実施の形態の電線対基板コネクタにおける第１コネクタとしての電線コネクタであり、複数の電線９１を備えるケーブルの終端に接続され、該ケーブルを基板コネクタ１０１に電気的に接続するために使用される。なお、図に示される例において、電線９１は６本であるが、該電線９１の数は任意に変更することができ、例えば、１本であってもよい。また、本実施の形態において、電線コネクタ１は、図に示されるような断面円形の電線９１を備えるケーブルを接続するためのものでなく、フレキシブルフラットケーブル（ＦＦＣ：Ｆｌｅｘｉｂｌｅ  Ｆｌａｔ  Ｃａｂｌｅ）、フレキシブル回路基板（ＦＰＣ：Ｆｌｅｘｉｂｌｅ  Ｐｒｉｎｔｅｄ  Ｃｉｒｃｕｉｔ）等の平板状の可撓（とう）性ケーブルを接続するためのものであってもよい。
【００１８】
なお、本実施の形態において、基板コネクタ１０１及び電線コネクタ１の各部の構成及び動作を説明するために使用される上、下、左、右、前、後等の方向を示す表現は、絶対的なものでなく相対的なものであり、基板コネクタ１０１及び電線コネクタ１が図に示される姿勢である場合に適切であるが、基板コネクタ１０１及び電線コネクタ１の姿勢が変化した場合には姿勢の変化に応じて変更して解釈されるべきものである。
【００１９】
ここで、前記基板コネクタ１０１は、レセプタクルコネクタであって、合成樹脂等の絶縁性材料によって一体的に形成され、前記電線コネクタ１の電線側ハウジング１１と嵌合する第２ハウジングとしての基板側ハウジング１１１と、該基板側ハウジング１１１に装填（てん）された金属製の第２端子としての基板側端子１６１とを有する。そして、前記基板側ハウジング１１１は、先端部に形成された被ロック部材１１６、及び、側部に形成されたキー溝１１８を備える。なお、図２に示される例において、基板側端子１６１は６本であるが、該基板側端子１６１の数は電線９１の数に対応して任意に変更することができる。そして、前記基板コネクタ１０１は、概略、扁（へん）平な直方体形状を備え、その下面が回路基板の表面に対向するように該回路基板に取付けられ、上方から電線コネクタ１が挿入されて嵌合される。
【００２０】
図２に示されるように、基板側ハウジング１１１は、略矩（く）形の平板状の底壁部１１２と、該底壁部１１２の先端側（図２における左下側であって嵌合する電線コネクタ１の先端側に対応）の縁に沿って延在し、底壁部１１２から立設する先端壁部１１５と、底壁部１１２の両側縁に沿って延在し、底壁部１１２から立設する側壁部１１７とを有する。また、前記基板側ハウジング１１１は、先端壁部１１５より基端側（図２における右上側であって嵌合する電線コネクタ１の基端側に対応）の位置において、先端壁部１１５と平行に延在し、底壁部１１２から立設する端子支持部１１３を有する。
【００２１】
そして、前記基板側端子１６１の接触部１６４は、底壁部１１２から立設する方向に延在し、端子支持部１１３によって支持される。なお、前記基板側端子１６１のソルダーテール部１６２は、その先端が先端壁部１１５の下端から先端方向に延出し、回路基板に形成された信号線、コンタクトパッド、端子等、すなわち、相手側端子部材に、はんだ付等によって電気的に接続される。
【００２２】
また、前記側壁部１１７には、金具収容溝１１７ａが形成され、該金具収容溝１１７ａに取付用補助金具１８１が収容される。そして、該取付用補助金具１８１の下端に形成された接続部１８３は、回路基板に形成されたはんだパッド等のコネクタ固定部に、はんだ付等によって固定される。これにより、基板コネクタ１０１は回路基板に強固に固定される。
【００２３】
さらに、側壁部１１７の内側面には、嵌合方向、すなわち、底壁部１１２に対して垂直な方向に延在する第１キー溝１１８ａ及び第２キー溝１１８ｂが形成されている。なお、前記第１キー溝１１８ａ及び第２キー溝１１８ｂを統合的に説明する場合にはキー溝１１８として説明する。電線コネクタ１が基板コネクタ１０１に嵌合する際に、電線コネクタ１の第１嵌合キー１８ａ及び第２嵌合キー１８ｂが、それぞれ、第１キー溝１１８ａ及び第２キー溝１１８ｂに嵌合する。なお、第１キー溝１１８ａは側壁部１１７の基端側、すなわち、側部における基端部寄りの位置に形成され、前記第１キー溝１１８ａより幅の広い第２キー溝１１８ｂは側壁部１１７の先端側、すなわち、側部における先端部寄りの位置に形成されている。
【００２４】
前記第１キー溝１１８ａの断面形状は、図４に示されるように、矩形ではなく、開口部側の幅が底部側の幅よりも狭い略台形となっている。つまり、第１キー溝１１８ａは、先端部寄りの側壁１１８ａ−１、基端部寄りの側壁１１８ａ−２及び底壁１１８ａ−３によって画定される略台形の溝であって、先端部寄りの側壁１１８ａ−１と基端部寄りの側壁１１８ａ−２との間隔が開口部側よりも底壁１１８ａ−３側の方が広くなっている。
【００２５】
より詳細には、先端部寄りの側壁１１８ａ−１は、側壁部１１７と平行に延在する底壁１１８ａ−３に対してほぼ直交するのに対し、基端部寄りの側壁１１８ａ−２は前記底壁１１８ａ−３に対して傾斜し、基端部寄りの側壁１１８ａ−２と底壁１１８ａ−３との間の角が鋭角になっている。
【００２６】
また、先端壁部１１５の外側面には被ロック部材１１６が形成されている。電線コネクタ１が基板コネクタ１０１に嵌合する際に、電線コネクタ１のロック部材１６が前記被ロック部材１１６と係合してロックされる。
【００２７】
一方、電線コネクタ１は、プラグコネクタであって、合成樹脂等の絶縁性材料によって一体的に形成され、前記基板コネクタ１０１の基板側ハウジング１１１と嵌合する第１ハウジングとしての電線側ハウジング１１と、該電線側ハウジング１１に装填された金属製の第１端子としての図示されない電線側端子とを有する。そして、前記電線側ハウジング１１は、先端部に形成されたロック部材１６、及び、側部に形成された嵌合キー１８を備える。また、前記電線コネクタ１は、概略、扁平な直方体形状を備え、その下面が基板コネクタ１０１の上面に対向するような姿勢で上方から基板コネクタ１０１に挿入されて嵌合される。すなわち、基板コネクタ１０１に垂直嵌合される。
【００２８】
図１及び３に示されるように、電線側ハウジング１１は、略矩形の平板状の天板部１２と、該天板部１２の下面に接続された直方体形状の本体部１４とを有する。そして、該本体部１４の先端側（図１における左上側）は、天板部１２の先端側の縁に平行に延在し、天板部１２に対して垂直の先端壁部１５であり、前記本体部１４の両側は、天板部１２の両側縁に平行に延在し、天板部１２に対して垂直の側壁部１７である。また、前記本体部１４は、先端壁部１５より基端側（図１における右下側）の位置において、先端壁部１５と平行に延在し、下面に開口するスリット状の端子支持開口１３を有する。
【００２９】
そして、前記電線側端子の先端部は、前記端子支持開口１３に配設され、電線コネクタ１が基板コネクタ１０１に嵌合する際に、前記端子支持開口１３内に進入する端子支持部１１３に支持された基板側端子１６１の接触部１６４と接触する。なお、前記電線側端子の基端部は、電線９１が備える導電線に電気的に接続されている。さらに、前記電線９１の先端は電線側ハウジング１１に保持されている。
【００３０】
また、側壁部１７の外側面には、該外側面から外方に突出し、かつ、嵌合方向、すなわち、天板部１２に対して垂直な方向に延在する第１嵌合キー１８ａ及び第２嵌合キー１８ｂが形成されている。なお、前記第１嵌合キー１８ａ及び第２嵌合キー１８ｂを統合的に説明する場合には、嵌合キー１８として説明する。そして、電線コネクタ１が基板コネクタ１０１に嵌合する際に、前記第１嵌合キー１８ａ及び第２嵌合キー１８ｂが、それぞれ、基板コネクタ１０１の第１キー溝１１８ａ及び第２キー溝１１８ｂに嵌合する。なお、第１嵌合キー１８ａは側壁部１７の基端側、すなわち、側部における基端部寄りの位置に形成され、前記第１嵌合キー１８ａより幅の広い第２嵌合キー１８ｂは側壁部１７の先端側、すなわち、側部における先端部寄りの位置に形成されている。
【００３１】
前記第１嵌合キー１８ａの断面形状は、第１キー溝１１８ａの断面形状と同様に、矩形ではなく、第１キー溝１１８ａの底壁１１８ａ−３に対応する部分の幅が根本部側の幅よりも広い略台形となっている。つまり、第１嵌合キー１８ａは、先端部寄りの側壁１８ａ−１、基端部寄りの側壁１８ａ−２及び頂壁１８ａ−３によって画定される略台形のキーであって、先端部寄りの側壁１８ａ−１と基端部寄りの側壁１８ａ−２との間隔が根本部側よりも頂壁１８ａ−３側の方が広くなっている。
【００３２】
より詳細には、先端部寄りの側壁１８ａ−１は、側壁部１７と平行に延在する頂壁１８ａ−３に対してほぼ直交するのに対し、基端部寄りの側壁１８ａ−２は前記頂壁１８ａ−３に対して傾斜し、基端部寄りの側壁１８ａ−２と頂壁１８ａ−３との間の角が鋭角になっている。
【００３３】
また、先端壁部１５の外側面にはロック部材１６が形成されている。電線コネクタ１が基板コネクタ１０１に嵌合する際に、前記ロック部材１６が基板コネクタ１０１の被ロック部材１１６と係合してロックされる。
【００３４】
次に、前記電線コネクタ１を基板コネクタ１０１に嵌合する動作について説明する。
【００３５】
図５は本発明の実施の形態における電線対基板コネクタの嵌合した状態を示す上面図、図６は本発明の実施の形態における電線対基板コネクタの嵌合した状態を示す第１の側断面図であり図５のＢ−Ｂ矢視断面図、図７は本発明の実施の形態における電線対基板コネクタの嵌合した状態を示す第２の側断面図であり図５のＣ−Ｃ矢視断面図である。
【００３６】
電線コネクタ１を回路基板に実装された基板コネクタ１０１に嵌合する場合には、電線コネクタ１をオペレータが手指等によって操作して、電線コネクタ１の本体部１４の下面が基板コネクタ１０１の底壁部１１２に向合うように位置させる。また、ロック部材１６に形成された先端壁部１５が基板コネクタ１０１における被ロック部材１１６に形成された先端壁部１１５と同一方向を向くように、電線コネクタ１の向きが調整される。そして、電線コネクタ１を回路基板に対して垂直に移動させ、電線コネクタ１の本体部１４を基板コネクタ１０１の基板側ハウジング１１１の底壁部１１２、先端壁部１１５及び側壁部１１７によって周囲を画定される凹部に上方から挿入し、図５に示されるように、電線コネクタ１を基板コネクタ１０１に嵌合させる。
【００３７】
この際、図６に示されるように、電線コネクタ１の本体部１４の端子支持開口１３内に基板コネクタ１０１の端子支持部１１３が進入する。そして、端子支持開口１３内に配設された電線側端子の先端部が、前記端子支持部１１３に支持された基板側端子１６１の接触部１６４と接触する。これにより、電線９１の導電線が、電線側端子及び基板側端子１６１を介して、回路基板に形成された相手側端子部材に電気的に接続される。
【００３８】
また、図６に示されるように、電線コネクタ１のロック部材１６が基板コネクタ１０１の被ロック部材１１６と係合してロックされる。これにより、電線コネクタ１が基板コネクタ１０１から外れることが防止される。なお、ロックする際、オペレータは、ロック部材１６も被ロック部材１１６も操作する必要がないので、電線コネクタ１と基板コネクタ１０１との嵌合操作を容易に行うことができる。なお、ロック部材１６と被ロック部材１１６とが係合したことによるクリック感を十分に感じることができるので、オペレータは、電線コネクタ１と基板コネクタ１０１との嵌合が完了したことを正確に認識することができる。
【００３９】
さらに、図７に示されるように、電線コネクタ１の第１嵌合キー１８ａ及び第２嵌合キー１８ｂが、それぞれ、基板コネクタ１０１の第１キー溝１１８ａ及び第２キー溝１１８ｂに嵌合する。これにより、基板コネクタ１０１に対する電線コネクタ１の位置決めが正確に行われた状態で、電線コネクタ１が基板コネクタ１０１に嵌合される。つまり、オペレータは、第１嵌合キー１８ａ及び第２嵌合キー１８ｂを第１キー溝１１８ａ及び第２キー溝１１８ｂに嵌合させるだけで、基板コネクタ１０１に対する電線コネクタ１の位置決めを正確に行うことができるので、嵌合操作を容易に行うことができる。
【００４０】
なお、第２嵌合キー１８ｂが第１嵌合キー１８ａより幅が広く、同様に、第２キー溝１１８ｂが第１キー溝１１８ａよりも幅が広く形成されているので、電線コネクタ１の先端が基板コネクタ１０１の基端を向いていると、すなわち、電線コネクタ１が基板コネクタ１０１に対して逆向きになっていると、第１嵌合キー１８ａ及び第２嵌合キー１８ｂが第１キー溝１１８ａ及び第２キー溝１１８ｂに嵌合することができない。換言すると、第２嵌合キー１８ｂが第１嵌合キー１８ａより幅が広く、かつ、第２キー溝１１８ｂが第１キー溝１１８ａよりも幅が広く形成されているので、電線コネクタ１と基板コネクタ１０１との誤嵌合が確実に防止される。
【００４１】
また、電線コネクタ１の嵌合キー１８の少なくとも一部、すなわち、第１嵌合キー１８ａが電線側ハウジング１１の側部の基端部寄りの位置に形成され、同様に、基板コネクタ１０１のキー溝１１８の少なくとも一部、すなわち、第１キー溝１１８ａが基板側ハウジング１１１の側部の基端部寄りの位置に形成されているので、電線９１が煽（あお）られた場合であっても、電線側ハウジング１１と基板側ハウジング１１１との嵌合が外れてしまうことがない。電線側ハウジング１１の先端部に形成されたロック部材１６が基板側ハウジング１１１の先端部に形成された被ロック部材１１６と係合してロックされているので、電線側ハウジング１１の基端部に挿入された電線９１が煽（あお）られると、「発明が解決しようとする課題」において説明したように、電線側ハウジング１１には、その先端部を支点として回転するような力が作用する。しかし、先端部から最も離れた基端部寄りの位置で、上下方向に延在する第１嵌合キー１８ａと第１キー溝１１８ａとが嵌合しているので、前記電線側ハウジング１１の回転を効果的に防止することができる。
【００４２】
これは、電線側ハウジング１１がその先端部を支点として基板側ハウジング１１１に対して回転しようとすると、第１嵌合キー１８ａが第１キー溝１１８ａに対して傾斜するので、第１嵌合キー１８ａが第１キー溝１１８ａから抜けにくくなるためである。とりわけ、第１嵌合キー１８ａ及び第１キー溝１１８ａが回転の支点から離れているので、第１嵌合キー１８ａの第１キー溝１１８ａに対する上方向への変位量が小さくても、第１嵌合キー１８ａの第１キー溝１１８ａに対する傾斜が大きくなり、第１嵌合キー１８ａが第１キー溝１１８ａから非常に抜けにくくなる。
【００４３】
さらに、第１嵌合キー１８ａにおいては、先端部から最も離れた基端部寄り側壁１８ａ−２の頂壁１８ａ−３に対する角度が鋭角であり、同様に、第１キー溝１１８ａにおいては、先端部から最も離れた基端部寄りの側壁１１８ａ−２の底壁１１８ａ−３に対する角度が鋭角である。したがって、電線側ハウジング１１がその先端部を支点として基板側ハウジング１１１に対して回転しようとすると、第１嵌合キー１８ａの基端部寄りの側壁１８ａ−２が第１キー溝１１８ａの基端部寄りの側壁１１８ａ−２に対して傾斜し、該基端部寄りの側壁１１８ａ−２と噛（かみ）合った状態となるので、第１嵌合キー１８ａが第１キー溝１１８ａから更に抜けにくくなる。そのため、電線側ハウジング１１の回転を更に効果的に防止することができる。
【００４４】
以上のように、電線側ハウジング１１の側部における基端部寄りの位置に形成された第１嵌合キー１８ａと基板側ハウジング１１１の側部における基端部寄りの位置に形成された第１キー溝１１８ａとが嵌合しているので、電線９１が煽（あお）られた場合であっても、電線コネクタ１と基板コネクタ１０１との嵌合が外れてしまうことがない。
【００４５】
もっとも、電線コネクタ１と基板コネクタ１０１との嵌合を確実にするためには、嵌合キー１８とキー溝１１８との組合せに代えて、ロック部材１６と被ロック部材１１６とから成るようなロック機構を使用することが考えられる。しかし、この場合、ロック機構が複数となるので、電線コネクタ１と基板コネクタ１０１との嵌合操作においてすべてのロック機構をほぼ同時にロックさせるので、オペレータは大きな力を発揮する必要があり、嵌合操作の操作性が低下する。また、一部のロック機構がロックされない場合には、基板コネクタ１０１に対して電線コネクタ１が傾斜した状態となるので、電線側端子と基板側端子１６１との接触不良が発生してしまう。さらに、ロック機構が複数となるので、構成が複雑化し、コストが高くなってしまう。
【００４６】
これに対し、本実施の形態においては、ロック機構が単数なので、嵌合操作の操作性が高く、かつ、嵌合キー１８とキー溝１１８とを嵌合させることによって、簡素な構成でありながら、基板コネクタ１０１に対する電線コネクタ１の位置決めを正確に行うことができ、誤嵌合が確実に防止され、さらに、電線コネクタ１と基板コネクタ１０１との嵌合を確実に維持することができる。
【００４７】
このように、本実施の形態において、電線対基板コネクタは、基端部に電線９１が挿入された電線側ハウジング１１、及び、電線９１に接続された電線側端子を有する電線コネクタ１と、電線側ハウジング１１と嵌合する基板側ハウジング１１１、及び、電線側端子と接続される基板側端子１６１を有する基板コネクタ１０１とから成る。そして、電線側ハウジング１１は、先端部に形成されたロック部材１６及び側部に形成された嵌合キー１８を備え、基板側ハウジング１１１は、先端部に形成され、ロック部材１６と係合する被ロック部材１１６、及び、側部に形成され、嵌合キー１８と嵌合するキー溝１１８を備え、嵌合キー１８の少なくとも一部は電線側ハウジング１１の基端部寄りの位置に配設され、キー溝１１８の少なくとも一部は基板側ハウジング１１１の基端部寄りの位置に配設される。
【００４８】
これにより、電線９１が煽（あお）られたときでも、電線側ハウジング１１が先端部を支点として回転することを防止し、電線コネクタ１が基板コネクタ１０１から外れてしまうことを防止することができ、信頼性を向上させることができる。そして、電線コネクタ１と基板コネクタ１０１との嵌合操作を容易に行うことができる。
【００４９】
また、嵌合キー１８は、電線側ハウジング１１の基端部寄りの位置に配設された第１嵌合キー１８ａ、及び、第１嵌合キー１８ａより幅の広い第２嵌合キー１８ｂを含み、キー溝１１８は、基板側ハウジング１１１の基端部寄りの位置に配設され、第１嵌合キー１８ａと嵌合する第１キー溝１１８ａ、及び、第１キー溝１１８ａより幅が広く、第２嵌合キー１８ｂと嵌合する第２キー溝１１８ｂを含む。これにより、電線コネクタ１と基板コネクタ１０１との誤嵌合が確実に防止される。なお、本実施の形態においては、第１嵌合キー１８ａより第２嵌合キー１８ｂの方が幅が広く、かつ、第１キー溝１１８ａより第２キー溝１１８ｂの方が幅が広い例についてのみ説明したが、第１嵌合キー１８ａの方が第２嵌合キー１８ｂより幅が広く、かつ、第１キー溝１１８ａの方が第２キー溝１１８ｂより幅が広くてもよいし、さらに、第１嵌合キー１８ａと第２嵌合キー１８ｂの幅が等しく、かつ、第１キー溝１１８ａと第２キー溝１１８ｂの幅が等しくてもよい。
【００５０】
さらに、第１嵌合キー１８ａは、基端部寄りの側壁１８ａ−２の頂壁１８ａ−３に対する角度が鋭角であり、第１キー溝１１８ａは、基端部寄りの側壁１１８ａ−２の底壁１１８ａ−３に対する角度が鋭角である。これにより、第１嵌合キー１８ａが第１キー溝１１８ａから更に抜けにくくなるので、電線側ハウジング１１の回転を更に効果的に防止することができる。なお、本実施の形態においては、第１嵌合キー１８ａにおける基端部寄りの側壁１８ａ−２の頂壁１８ａ−３に対する角度及び第１キー溝１１８ａにおける基端部寄りの側壁１１８ａ−２の底壁１１８ａ−３に対する角度が鋭角である例についてのみ説明したがこれらの角度は鈍角であってもよいし、直角であってもよい。
【００５１】
なお、本発明は前記実施の形態に限定されるものではなく、本発明の趣旨に基づいて種々変形させることが可能であり、それらを本発明の範囲から排除するものではない。
【図面の簡単な説明】
【００５２】
【図１】本発明の実施の形態における電線対基板コネクタの電線コネクタを示す斜視図であり斜め下から観た図である。
【図２】本発明の実施の形態における電線対基板コネクタの基板コネクタを示す斜視図であり斜め上から観た図である。
【図３】本発明の実施の形態における電線対基板コネクタの嵌合した状態を示す斜視図である。
【図４】本発明の実施の形態における電線対基板コネクタの基板コネクタを示す上面図であり、（ｂ）は（ａ）の要部拡大図でありＡ部拡大図である。
【図５】本発明の実施の形態における電線対基板コネクタの嵌合した状態を示す上面図である。
【図６】本発明の実施の形態における電線対基板コネクタの嵌合した状態を示す第１の側断面図であり図５のＢ−Ｂ矢視断面図である。
【図７】本発明の実施の形態における電線対基板コネクタの嵌合した状態を示す第２の側断面図であり図５のＣ−Ｃ矢視断面図である。
【図８】従来の電線対基板コネクタの嵌合前の状態を示す斜視図である。
【符号の説明】
【００５３】
１、８０１    電線コネクタ
１１    電線側ハウジング
１２    天板部
１３    端子支持開口
１４    本体部
１５、１１５    先端壁部
１６    ロック部材
１７、１１７    側壁部
１８    嵌合キー
１８ａ    第１嵌合キー
１８ａ−１、１８ａ−２、１１８ａ−１、１１８ａ−２    側壁
１８ａ−３    頂壁
１８ｂ    第２嵌合キー
９１    電線
１０１、９０１    基板コネクタ
１１１    基板側ハウジング
１１２    底壁部
１１３    端子支持部
１１６    被ロック部材
１１７ａ    金具収容溝
１１８    キー溝
１１８ａ    第１キー溝
１１８ａ−３    底壁
１１８ｂ    第２キー溝
１６１    基板側端子
１６２    ソルダーテール部
１６４    接触部
１８１    取付用補助金具
１８３、９６４    接続部
８１１、９１１    絶縁体
８１３    空隙部
８７１、９７１    外部導体
８７４    係止用突起
８９１    同軸ケーブル
９６１    端子
９６２    基部
９７４    係止用凹部
【図１】
2010129404.tif 000003
【図２】
2010129404.tif 000004
【図３】
2010129404.tif 000005
【図４】
2010129404.tif 000006
【図５】
2010129404.tif 000007
【図６】
2010129404.tif 000008
【図７】
2010129404.tif 000009
【図８】
2010129404.tif 000010